(57)【特許請求の範囲】
【請求項１】
電動送風機を内蔵した掃除機本体と、前記掃除機本体の移動用のハンドル体と、前記掃除機本体に配設したごみ吸い込み用のノズル体と、該ノズル体に設けられたごみを吸うための吸い込み口と、該吸い込み口に臨ませた回転ブラシと、該回転ブラシに結合されていて前記回転ブラシと同一の回転軸で回転する駆動プーリと、該駆動プーリと平行に隣接して前記回転軸に嵌合されたアイドラーと、前記駆動プーリ又は前記アイドラーと前記電動送風機の駆動シャフトとの間に懸架される平ベルトと、前記ノズル体の前後方向に対して一定角度傾いて延びる溝部を有し前後運動をなすベルト切換つまみと、前記溝部に係合した爪部を有し前記前後運動に伴い大きな円弧運動を行うベルト切換金具とを備え、前記ベルト切換金具の前記円弧運動により前記ベルト切換金具のＵ字型切換部が前記平ベルトを誘導して前記平ベルトの懸架が前記駆動プーリと前記アイドラーとの間で切り換えられるアップライト型電気掃除機において、
前記平ベルトが前記駆動プーリ又は前記アイドラーに懸架される位置で前記Ｕ字型切換部が停止するように前記ベルト切換金具の前記円弧運動の軌跡上にストッパーを設けたことを特徴とするアップライト型電気掃除機。
【請求項２】
前記ストッパーに緩衝材を固着したことを特徴とする請求項１に記載のアップライト型電気掃除機。
【請求項３】
前記ベルト切換金具の前記Ｕ字型切換部の幅を前記平ベルトの幅の1.5〜2倍としたことを特徴とする請求項１又は２に記載のアップライト型電気掃除機。
【発明の詳細な説明】
【０００１】
【発明の属する技術分野】
本発明はアップライト型電気掃除機の吸い込み具に係わり、特にベルト切換装置に関するものである。
【０００２】
【従来の技術】
まず、一般的なアップライト型電気掃除機の構成について説明する。図１はアップライト型電気掃除機の外観斜視図であり、図２は側方から見た一部破断面図である。
【０００３】
図１に示すように、アップライト型電気掃除機は掃除機本体１と、該本体１に一体的に固定されたハンドル体５と、本体１下部に回転自在に取り付けられたノズル体４とから構成される。また、掃除機本体１は、図２に示すように下方内部に電動送風機３６を内蔵し、その周囲を覆うようにモーターカバー３７が配されている。このモーターカバー３７には排気孔３７ａが形成されている。電動送風機３６の上部には集塵室２６が設けられており、吸引したごみを集めるための集塵袋２７が装着されている。本体１の前面には集塵袋２７を出し入れするための蓋体６が開閉自在に装着されている。
【０００４】
本体１の背面には接続ホース３５の一端３５Ａがホース接続部２８で嵌着されている。吸い込みホース３５の他端３５Ｂは後述するノズル体４に連通した吸い込み接続管３２に取り付けられるホース着脱部３１に着脱自在に接続されている。
【０００５】
電源を供給するためのコード３０は電動送風機３６に接続されていて、その接続点から更に本体１の背面のコード引き出し孔（図示せず）を通して本体１の外へ導かれている。また、電動送風機３６の運転及び停止を行うためのスイッチ３４は、本体１の側面に配設されている。
【０００６】
本体１下部には枢着点３８が設けられ、ノズル体４が傾動自在に取り付けられている。この本体１の底部には移動用の一対の車輪２が並設されている。２９はネジ（図示せず）でノズル体４下部に固定された底板であり、この底板２９にはごみ吸引用の吸い込み口２９ａが形成されている。ノズル体４の内部には回転ブラシ１０が設けられている。この回転ブラシ１０はベルト９を介して電動送風機３６の回転が伝達される。回転ブラシ１０の後方に存する壁面には吸い込み口２９ａから吸い込んだごみを集めて通過させる内部吸い込み口部（図示せず）が形成されており、この内部吸い込み口部に吸い込み接続管３２が接続されている。
【０００７】
ハンドル体５は、本体１の上部に一体的にネジ１ａで取り付けられている。ハンドル体５の背面にはＬ字状の一対のコードフック３３がネジ（図示せず）で取り付けられている。そして、このコードフック３３、３３の間にコード３０を巻き付けるようになっている。また、ノズル体４上面後部には、図１に示すようにベルト切換つまみ７が設けられている。
【０００８】
次に、上記の構成において、アップライト型電気掃除機の使用形態について説明する。まず、コード３０をコードフック３３から外し、コンセントに接続してスイッチ３４を入れる。すると、電動送風機が回転し、塵埃を巻き込んだ空気がノズル体４の底部に設けられた吸い込み口２９ａから吸い込まれ、吸い込み接続管３２、接続ホース３５、集塵室２６の順に通り、床のごみは集塵袋２７に集められる。尚、排気は排気孔３７ａから行われる。また、ベルト切換つまみ７を操作することにより、回転ブラシ１０を回転させたり、停止させたりできるので、清掃場所の状況に応じた使い勝手のよい方法を選択することができる。
【０００９】
このアップライト型掃除機の従来の技術が、実開平５−９１５４１号公報に開示されている。
【００１０】
図４は上記従来のアップライト型電気掃除機のノズル体４の要部断面図であり、ノズル体４を下方から見たところである。回転ブラシ１０の両端には回転軸１３が設けられ、略円筒形をした軸受１４の中心部の凹部（図示せず）に回転自在に嵌合されている。さらに、この軸受１４をノズル体４の内部側面に設けた溝部１５に挿入することによって回転ブラシ１０はノズル体４に取り付けられる。
【００１１】
また、駆動プーリ１１とアイドラー１２とが回転ブラシ１０の回転軸１３の軸芯上に平行して設けられている。本体１内部に設けられている電動送風機３６の駆動シャフト８がノズル体４内部に突出している。そして、このシャフト８とアイドラー１２との間には一定の幅を有するリング状の平ベルト９が懸架されている。
【００１２】
この状態で電動送風機３６（図２参照）を駆動すると、この駆動シャフト８を主動軸として平ベルト９が回転し、この平ベルト９の回転を介してアイドラー１２に動力が伝達される。駆動プーリ１１は回転ブラシ１０に固定されているため、平ベルト９が駆動プーリ１１に懸架されると駆動シャフト８の回転によって回転ブラシ１０が回転する。一方、アイドラー１２は、回転軸１３に固定されていないことから、アイドラー１２が平ベルト９の回転によって回転しても回転ブラシ１０には回転は伝達されない。図４の状態は平ベルト９がアイドラー１２に懸架されているので、電動送風機３６運転時でも回転ブラシ１０は回転しない。
【００１３】
次にベルト切換機構について説明する。箱体状の７はベルト切換つまみである。このベルト切換つまみ７には、ノズル体４の前後方向に対して一定の傾き（図４中、α）を有する溝部７ａが一体的に配設されている。また、１７はネジ１８を回転軸としてノズル体４のカバー４ａに回転自在に取り付けられたベルト切換金具である。
【００１４】
図５はベルト切換つまみ７及び後述するベルト切換金具１７をノズル体４のカバー４ａへ取り付ける際の組立図であり、図４と同様にノズル体４を下方から見たところである。２３はネジ１８を取り付けるためのネジ取付部、２条のリブ２４はベルト切換つまみ７の取付保持部であり、いずれもノズル体４のカバー４ａ内面に配設されている。また、２５はノズル体４のカバー４ａに設けた略長方形の開口である。
【００１５】
この開口２５にベルト切換つまみ７に配された四角柱状のレバー７ｂを挿入すると、ベルト切換つまみ７の側面は取付保持部２４、２４で挟持され、ベルト切換つまみ７はノズル体４に固定される。そして、ベルト切換金具１７ではＬ字状の爪部１７ａをベルト切換つまみ７の溝部７ａに嵌入するとともに、ネジ１８をネジ取付部２３に締めることによりベルト切換金具１７をノズル体４のカバー４ａに取り付ける。
【００１６】
尚、図１においてノズル体の上面より突出する切換つまみ７はレバー７ｂである。また、図４において１６はベルト切換つまみ７がノズル体４のカバー４ａから脱落しないように下方よりカバー４ａに取り付けられた押さえ板である。
【００１７】
図６はベルト切換機構の動作を示す説明図である。ノズル体４に取り付けたベルト切換つまみ７及びベルト切換金具１７の位置関係は、図６（ａ）に示すようにベルト切換金具１７の爪部１７ａがベルト切換つまみ７の溝部７ａの一端に位置している状態である。
【００１８】
この状態からベルト切換つまみ７のレバー７ｂを矢印Ｆの方向に動かすと、ベルト切換金具１７はネジ１８を回転軸として回転自在なので、ベルト切換つまみ７の溝部７ａに係合したベルト切換金具１７の爪部１７ａが溝部７ａ内で摺動するのに伴いベルト切換金具１７は矢印Ｗで示すように反時計回りに円弧運動をする。ベルト切り換え金具１７の爪部１７ａがベルト切換つまみ７ａの他端に達すると図６（ｂ）に示す状態となり、ベルト切換金具１７は停止する。また、図６（ｂ）の状態から、矢印Ｆ（図６（ａ）参照）と逆方向にベルト切換つまみ７を動かすと、ベルト切換金具１７は時計回り、即ち矢印Ｗ（図６（ａ）参照）とは反対方向に円弧運動して、図６（ａ）の状態に戻る。従って、ベルト切換つまみ７の前後運動がベルト切換金具１７の円弧運動に変換される。
【００１９】
図７は同じくベルト切換機構の動作を示す説明図であり、図８は図７におけるｙ−ｙ断面図である。図８に示すように平ベルト９は、ベルト切換金具１７のＵ字型切換部１７ｂの内部に位置している。平ベルト９は最初、図７（ａ）に示すようにアイドラー１２に懸架されている。この状態で電動送風機３６（図２参照）を駆動すると、平ベルト９が回転してアイドラー１２に動力が伝達され、アイドラー１２が回転する。
【００２０】
次に、電動送風機３６を駆動したままベルト切換つまみ７を図７の矢印Ｆの方向に動かすと、上述したようにベルト切換金具１７が矢印Ｗの方向へネジ１８を回転軸として反時計回りに円弧運動する。この時、平ベルト９はベルト切換金具１７のＵ字型切換部１７ｂの左内側面に当接させられて、図７（ｂ）に示すように回転しながら駆動プーリ１１側に移動し、駆動プーリ１１に掛けられる。これによって、駆動プーリ１１が回転することにより回転ブラシ１０が回転する。
【００２１】
また、図７（ｂ）の状態からベルト切換つまみ７を矢印Ｆ（図７（ａ）参照）と反対方向に動かすと、ベルト切換金具１７は矢印Ｗ（図７（ａ）参照）とは逆方向、即ちネジ１８を中心に時計回りに円弧運動するので、平ベルト９はベルト切換金具１７のＵ字型切換部１７ｂの右内側面に当接させられ、図７（ａ）の状態に戻り、再びアイドラー１２に掛けられる。このように、ベルト切換つまみ７を前後に動かすことに伴いベルト切換金具１７が円弧運動をすることを利用して、平ベルト９を駆動プーリ１１からアイドラー１２へ、あるいはアイドラー１２から駆動プーリ１１へ自由に移動させることができる。
【００２２】
また、ベルト切換金具１７のＵ字型切換部１７ｂは、平ベルト９が駆動プーリ１１あるいはアイドラー１２に移動後、この平ベルト９に接触することのない適切な寸法に予め設定されている。
【００２３】
【発明が解決しようとする課題】
平ベルト９は、回転ブラシ１０に近い方がゆるみが少ないので、ベルト切換操作を安定して行える。故に、回転ブラシ１０にできるだけ近い位置でベルト切換金具１７により平ベルト９を移動させるのが好ましく、ベルト切換金具１７の爪部１７ａとＵ字型切換部１７ｂとの間には一定の距離が必要となる。このため、ベルト切換金具１７の回転の軸となるネジ１８から爪部１７ａ及びＵ字型切換部１７ｂまでの距離の比（図４中、Ａ対Ｂ）を約１対３としている。しかしながら、このような構成では爪部１７ａの寸法のずれがＵ字型切換部１７ｂの位置では増幅され、ベルト切換金具１７の円弧運動の誤差は大きくなる。
【００２４】
ベルト切換金具１７のＵ字型切換部１７ｂの幅（図４中、Ｘ）は、平ベルト９の左右に対し数ミリしか隙間がとれなかった。従って、ベルト切換つまみ７に配した溝部７ａに係合したベルト切換金具１７の爪部１７ａの寸法がわずか数ミリ狂っていた場合、上述したようにベルト切換金具１７では寸法ずれが増幅され、平ベルト９が駆動プーリ１１又はアイドラー１２に移動したときには、ベルト切換金具１７のＵ字型切換部１７ｂの側面に接触することがあった。その結果、平ベルト９の停止時にブレーキ音が発生したり、平ベルト９が摩耗するといった問題が生ずる。
【００２５】
また、仮にＵ字型切換部１７ｂの幅Ｘを広くして余裕をもたせると、ベルト切換つまみ７を動かしても平ベルト９にベルト切換金具１７のＵ字型切換部１７ｂの側面が当接しなかったり、あるいは当接しても平ベルト９に充分な力を与えることができず、ベルト切換不良が発生するという問題が生ずる。
【００２６】
本発明は上述した事情に鑑みてなされたものであって、ベルト切換金具の爪部寸法がたとえ数ミリ狂っても、ベルト切換操作を常に安定して行え、また平ベルトとベルト切換金具のＵ字型切換部との間に隙間を確保して、両者の接触による異音の発生や平ベルトの摩耗を防ぐことのできる使い勝手のよいアップライト型掃除機を提供することを目的とする。
【００２７】
【課題を解決するための手段】
上記目的を達成するために、請求項１の発明は、電動送風機を内蔵した掃除機本体と、前記掃除機本体の移動用のハンドル体と、前記掃除機本体に配設したごみ吸い込み用のノズル体と、該ノズル体に設けられたごみを吸うための吸い込み口と、該吸い込み口に臨ませた回転ブラシと、該回転ブラシに結合されていて前記回転ブラシと同一の回転軸で回転する駆動プーリと、該駆動プーリと平行に隣接して前記回転軸に嵌合されたアイドラーと、前記駆動プーリ又は前記アイドラーと前記電動送風機の駆動シャフトとの間に懸架される平ベルトと、前記ノズル体の前後方向に対して一定角度傾いて延びる溝部を有し前後運動をなすベルト切換つまみと、前記溝部に係合した爪部を有し前記前後運動に伴い大きな円弧運動を行うベルト切換金具とを備え、前記ベルト切換金具の前記円弧運動により前記ベルト切換金具のＵ字型切換部が前記平ベルトを誘導して前記平ベルトの懸架が前記駆動プーリと前記アイドラーとの間で切り換えられるアップライト型電気掃除機において、
前記平ベルトが前記駆動プーリ又は前記アイドラーに懸架される位置で前記Ｕ字型切換部が停止するように前記ベルト切換金具の前記円弧運動の軌跡上にストッパーを設けたことを特徴とするものである。
【００２９】
また、請求項２の発明は、請求項１に記載のアップライト型電気掃除機において、前記ストッパーに緩衝材を固着したことを特徴とするものである。
【００３０】
また、請求項３の発明は、請求項１又は２に記載のアップライト型電気掃除機において、前記ベルト切換金具の前記Ｕ字型切換部の幅を前記平ベルトの幅の1.5〜２倍としたことを特徴とするものである。
【００３１】
【発明の実施の形態】
以下、本発明に係わるアップライト型電気掃除機の一実施形態を図面に基づいて説明する。尚、本実施形態では従来技術とベルト切換機構が異なるだけであり、図中、従来技術と同一の名称の部材については同一の符号を付している。
【００３２】
図３は本実施形態のアップライト型電気掃除機のノズル体４の要部断面図であり、ノズル体４を下方より見たところである。該電気掃除機ではベルト切換つまみ７の溝部７ａの傾きを緩やかに、即ち図３中のαを小さくしている。これによって、ベルト切換金具７の前後運動に伴うベルト切換金具１７の円弧運動の動作範囲を大きくしておく。また、ベルト切換金具１７のＵ字型切換部１７ｂの円弧運動の軌跡上の２カ所に、ノズル体４のカバー４ａと一体になったストッパー１９、２０を設ける。
【００３３】
ストッパー１９の位置は誘導された平ベルト９がアイドラー１２に正確に掛かる位置でＵ字型切換部１７ｂが停止するように設定されている。また、ストッパー２０の位置は、誘導された平ベルト９が駆動プーリ１１に正確に掛かる位置でＵ字型切換部１７ｂが停止するように設定されている。
【００３４】
このストッパーを設けたことにより、ベルト切換金具１７の円弧運動の動作範囲が規制され、ベルト切換金具１７を常に一定の位置に停止できるので、平ベルト９の切換を常に安定して確実に行える。
【００３５】
また、ストッパー１９、２０にそれぞれ緩衝材２１、２２を固着させることにより、ストッパー１９、２０とベルト切換金具１７のＵ字型切換部１７ｂとが接触するときに発生する異音を吸収できる。本実施形態では緩衝材としてゴム系材料を用いているが、要は弾性を有する材料であればよい。尚、ストッパー１９、２０はノズル体４内部にリブを設けることにより容易に形成できるが、別の部材を用いてもよい。
【００３６】
また、ベルト切換金具１７のＵ字型切換部１７ｂの幅Ｘは平ベルト９が駆動プーリ１１に掛けられているとき、あるいはアイドラー１２に掛けられているとき、平ベルト９に接触しない寸法に設定している。従来は平ベルト９の幅に対し左右に数ミリ（平ベルト９の幅に対し最大１．５倍程度）しか隙間がとれなかったのに対し、本実施形態ではＵ字型切換部１７ｂの幅Ｘを平ベルト９の幅の１．５〜２倍程度にしている。
【００３７】
また、ベルト切換金具１７の円弧運動に伴いＵ字型切換部１７ｂに誘導された平ベルト９がわずかでも駆動プーリ１１又はアイドラー１２上に掛けられると、平ベルト９はそれ自体の回転によって自然に駆動プーリ１１又はアイドラー１２の円弧形状をした中央の中央部に移動する。一方、Ｕ字型切換部１７ｂは平ベルト９がわずかに駆動プーリ１１又はアイドラー１２に掛けられた位置でストッパー１９又は２０により停止させられ、それより先には動かない。その結果、平ベルト９は駆動プーリ１１又はアイドラー１２上に移動して、Ｕ字型切換部１７ｂの側面から離されるので、平ベルト９の左右にはＵ字型切換部１７ｂとの間に隙間が形成される。
【００３８】
本実施形態ではＵ字型切換部１７ｂと平ベルト９との隙間が大きいことから、ベルト切換つまみ７の溝部７ａとベルト切換金具１７の爪部１７ａとの寸法ずれが大きく、Ｕ字型切換部１７ｂの円弧運動が大きくても平ベルト９が駆動プーリ１１又はアイドラー１２に移動後、Ｕ字型切換部１７ｂに接触するのを防ぐことが容易になる。また、Ｕ字型切換部１７ｂが平ベルト９に接触する程寸法ずれが大きい場合であっても、ストッパー１９、２０によりＵ字型切換部１７ｂは一定位置で停止し、平ベルト９との隙間は保たれる。また、寸法ずれが小さくても溝の傾きを緩やかにしていることから、Ｕ字型切換部１７ｂの動作範囲はある程度の大きさを持ち、確実に平ベルト９を移動させることができる。
【００３９】
【発明の効果】
本発明は上述したように構成されているので、請求項１の発明によると、ベルト切換つまみの溝部の前後運動に伴い円弧運動に変換されるベルト切換金具が、より大きな円弧運動をなすように前記溝部の傾斜を緩やかにして、ベルト切換金具の円弧運動の動作範囲を大きくしている。また、平ベルトが駆動プーリ又はアイドラーに懸架される位置でベルト切換金具のＵ字型切換部が停止するようにストッパーを設けている。従って、平ベルトのアイドラーから駆動プーリへ、あるいは駆動プーリからアイドラーへの移動を常に安定して行うことができる。
【００４０】
また、請求項２記載のアップライト型電気掃除機によると、上記ストッパーに緩衝材を固着させているので、ベルト切換時、ベルト切換金具がストッパーに接触する異音を吸収できる。
【００４１】
また、請求項３記載のアップライト型電気掃除機によると、ベルト切換金具のＵ字型切換部の幅を平ベルトの少なくとも1.5〜２倍にしているので、平ベルトが駆動プーリ又はアイドラーに移動後、ベルト切換金具のＵ字型切換部に接触することにより、平ベルトの停止時にブレーキ音が発生したり、平ベルトが摩耗したりすることを防げる。
【図面の簡単な説明】
【図１】一般的なアップライト型電気掃除機の外観斜視図である。
【図２】同上の側方から見た一部破断面図である。
【図３】本発明のアップライト型電気掃除機のノズル体の要部断面図である。
【図４】従来例のノズル体の要部断面図である。
【図５】同じくベルト切換装置のノズル体への組み込み方を示す説明図である。
【図６】同じくベルト切換装置の動作を示す説明図である。
【図７】同じくベルト切換機構を示す説明図である。
【図８】図７におけるｙ−ｙ断面図である。
【符号の説明】
１    掃除機本体
２    車輪
４    ノズル体
５    ハンドル体
６    蓋体
７    ベルト切換つまみ
７ａ    溝部
８    シャフト
９    平ベルト
１０    回転ブラシ
１１    駆動プーリ
１２    アイドラー
１３    回転軸
１４    軸受
１６    押さえ板
１７    ベルト切換金具
１７ａ    爪部
１７ｂ    Ｕ字型切換部
１８    ネジ
１９，２０    ストッパー
２１，２２    緩衝材
２６    集塵室
２９ａ    吸い込み口
３０    コード
３２    吸い込み接続管
３３    コードフック
３４    スイッチ
３５    接続ホース
３６    電動送風機
３７ａ    排気孔
【図１】
0003597397.tif 000002
【図２】
0003597397.tif 000003
【図３】
0003597397.tif 000004
【図４】
0003597397.tif 000005
【図５】
0003597397.tif 000006
【図６】
0003597397.tif 000007
【図７】
0003597397.tif 000008
【図８】
0003597397.tif 000009